(57)【要約】【課題】Ｉｎｔｅｒ-ｂａｎｄが行われる場合に、ＣＣ及びＴＡＧの適切なマッピングの設定を行う。【解決手段】本発明に係る移動局ＵＥは、Ｐｃｅｌｌ或いはＳｃｅｌｌからなる１つ又は複数のＴＡＧを管理するように構成されている管理部１１と、同一のＴＡＧに属するＰｃｅｌｌ或いはＳｃｅｌｌにおいて、上りリンク信号の送信タイミングが同一になるように調整するように構成されている調整部１２と、無線基地局ｅＮＢに対して、対応可能なＴＡＧの数を通知するように構成されている送信部１３とを具備する。【選択図】図３
2018110458.tif 000002
【特許請求の範囲】
【請求項１】
プライマリセル及びセカンダリセルを用いてキャリアアグリゲーションを行うことができるように構成されている移動通信システムで用いられる移動局であって、
プライマリセル或いはセカンダリセルからなる１つ又は複数のタイミング調整グループを管理するように構成されている管理部と、
同一のタイミング調整グループに属するプライマリセル或いはセカンダリセルにおいて、上りリンク信号の送信タイミングが同一になるように調整するように構成されている調整部と、
無線基地局に対して、対応可能なタイミング調整グループの数を通知するように構成されている送信部とを具備することを特徴とする移動局。
【請求項２】
前記送信部は、キャリアアグリゲーションにおけるバンドの組み合わせごとに、前記対応可能なタイミング調整グループの数を通知するように構成されていることを特徴とする請求項１に記載の移動局。
【請求項３】
前記送信部は、無線機能ごとに、前記対応可能なタイミング調整グループの数を通知するように構成されていることを特徴とする請求項１に記載の移動局。
【請求項４】
前記送信部は、バンドごとに、前記対応可能なタイミング調整グループの数を通知するように構成されていることを特徴とする請求項１に記載の移動局。
【請求項５】
前記送信部は、対応可能なバンドの数を通知することによって、前記対応可能なタイミング調整グループの数を通知するように構成されていることを特徴とする請求項１に記載の移動局。
【請求項６】
プライマリセル及びセカンダリセルを用いてキャリアアグリゲーションを行うことができるように構成されている移動通信システムで用いられる移動局であって、
プライマリセル或いはセカンダリセルからなる１つ又は複数のタイミング調整グループを管理するように構成されている管理部と、
同一のタイミング調整グループに属するプライマリセル或いはセカンダリセルにおいて、上りリンク信号の送信タイミングが同一になるように調整するように構成されている調整部とを具備しており、
対応可能なタイミング調整グループの数は、対応可能なバンドの数以上となるように構成されていることを特徴とする移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式に対応する移動通信システムでは、ＰＣＣ（Ｐｒｉｍａｒｙ  Ｃｏｍｐｏｎｅｎｔ  Ｃａｒｒｉｅｒ）におけるサービングセルであるＰｃｅｌｌ（Ｐｒｉｍａｒｙ  Ｃｅｌｌ、プライマリセル）及びＳＣＣ（Ｓｅｃｏｎｄａｒｙ  Ｃｏｍｐｏｎｅｎｔ  Ｃａｒｒｉｅｒ）におけるサービングセルであるＳｃｅｌｌ（Ｓｅｃｏｎｄａｒｙ  Ｃｅｌｌ、セカンダリセル）を用いて、ＣＡ（Ｃａｒｒｉｅｒ  Ａｇｇｒｅｇａｔｉｏｎ、キャリアアグリゲーション）を行うことができる。
【０００３】
また、ＬＴＥ-Ａｄｖａｎｃｅｄ方式に対応する移動通信システムでは、ＴＡ（Ｔｉｍｉｎｇ  Ａｄｖａｎｃｅ）制御が行われるように構成されている。
【０００４】
具体的には、ＴＡ制御では、図５に示すように、無線基地局ｅＮＢが、複数の移動局ＵＥ＃１/ＵＥ＃２からの受信信号の受信タイミング（ＦＦＴタイミング）を合わせるために、各移動局ＵＥ＃１/ＵＥ＃２に対して、ＴＡ値を指示し、各移動局ＵＥ＃１/ＵＥ＃２は、指示されたＴＡ値に基づいて、上りリンク信号の送信タイミングを調整するように構成されている。
【０００５】
例えば、図５に示すように、無線基地局ｅＮＢは、セル端に位置する移動局ＵＥ＃２に対して、セル中央に位置する移動局ＵＥ＃１よりも早いタイミングで、上りリンク信号を送信させる。
【０００６】
また、異なる周波数のセルで、Ｉｎｔｅｒ-ｂａｎｄ  ＣＣ（ＵＬ  ＣＣ）を行う場合には、セルごとに、無線特性（遅延特性や減衰特性）が異なる。ここで、異なる無線特性を有するセルに対しては、それぞれの無線特性に応じたＴＡ制御を行うことが必要である。
【０００７】
具体的には、ＬＴＥ-Ａｄｖａｎｃｅｄ方式に対応する移動通信システムでは、図６に示すように、Ｉｎｔｅｒ-ｂａｎｄ  ＣＣを行う場合に、Ｐｃｅｌｌ及びＳｃｅｌｌ＃１〜＃３を、無線特性が同等なグループ（ＴＡＧ：Ｔｉｍｉｎｇ  Ａｄｖａｎｃｅ  Ｇｒｏｕｐ、タイミング調整グループ）にグルーピングして、各グループでＴＡ制御を行うように構成されている。
【０００８】
かかるＴＡ制御は、「Ｍｕｌｔｉｐｌｅ  Ｔｉｍｉｎｇ  Ａｄｖａｎｃｅｓ（ＭＴＡ）制御」呼ばれている。
【０００９】
なお、かかるグループには、Ｐｃｅｌｌを含むｐＴＡＧ（図６の例では、ＴＡＧ-Ａ）及びＳｃｅｌｌのみからなるｓＴＡＧ（図６の例では、ＴＡＧ-Ｂ）の２種類が存在する。
【先行技術文献】
【非特許文献】
【００１０】
【非特許文献１】３ＧＰＰ寄書  Ｒ２-１１６５０３
【発明の概要】
【発明が解決しようとする課題】
【００１１】
ここで、ＣＡが行われる場合、移動局ＵＥごとに用いることができるＣＣの数が異なるため、各移動局ＵＥに対して設定できるＴＡＧの数も異なる。
【００１２】
例えば、移動局ＵＥが、異なるバンドの３つのＣＣを用いたＵＬ  ＣＡを行う場合、かかる３つのＣＣに対して、別々のＴＡＧを設定することが想定されている。
【００１３】
しかしながら、現状では、移動局ＵＥは、無線基地局ｅＮＢに対して、対応可能なＣＣの数を通知することはできるが、対応可能なＴＡＧの数を通知することはできない。
【００１４】
したがって、無線基地局ｅＮＢは、各移動局ＵＥにおいて対応可能なＴＡＧの数を知らない場合には、各移動局ＵＥに対して、ＣＣ及びＴＡＧの適切なマッピングの設定を行うことができないという問題点があった。
【００１５】
例えば、無線基地局ｅＮＢが、移動局ＵＥにおいて対応可能なＴＡＧの数以上のＴＡＧを用いて、かかる移動局ＵＥによるＩｎｔｅｒ-ｂａｎｄ  ＣＡを制御しようとする場合、無線基地局ｅＮＢと移動局ＵＥとの間で、ＩＯＴ（Ｉｎｔｅｒ  Ｏｐｅｒａｂｉｌｉｔｙ  Ｔｅｓｔ）を保証することができないという問題点があった。
【００１６】
そこで、本発明は、上述の課題に鑑みてなされたものであり、Ｉｎｔｅｒ-ｂａｎｄが行われる場合に、ＣＣ及びＴＡＧの適切なマッピングの設定を行うことができる移動局を提供することを目的とする。
【課題を解決するための手段】
【００１７】
本発明の第１の特徴は、プライマリセル及びセカンダリセルを用いてキャリアアグリゲーションを行うことができるように構成されている移動通信システムで用いられる移動局であって、プライマリセル或いはセカンダリセルからなる１つ又は複数のタイミング調整グループを管理するように構成されている管理部と、
同一のタイミング調整グループに属するプライマリセル或いはセカンダリセルにおいて、上りリンク信号の送信タイミングが同一になるように調整するように構成されている調整部と、無線基地局に対して、対応可能なタイミング調整グループの数を通知するように構成されている送信部とを具備することを要旨とする。
【００１８】
本発明の第２の特徴は、プライマリセル及びセカンダリセルを用いてキャリアアグリゲーションを行うことができるように構成されている移動通信システムで用いられる移動局であって、プライマリセル或いはセカンダリセルからなる１つ又は複数のタイミング調整グループを管理するように構成されている管理部と、同一のタイミング調整グループに属するプライマリセル或いはセカンダリセルにおいて、上りリンク信号の送信タイミングが同一になるように調整するように構成されている調整部とを具備しており、前記対応可能なタイミング調整グループの数は、対応可能なバンドの数以上となるように構成されていることを要旨とする。
【発明の効果】
【００１９】
以上説明したように、本発明によれば、Ｉｎｔｅｒ-ｂａｎｄが行われる場合に、ＣＣ及びＴＡＧの適切なマッピングの設定を行うことができる移動局を提供することができる。
【図面の簡単な説明】
【００２０】
【図１】本発明の第１の実施形態に係る移動通信システムの全体構成図である。
【図２】本発明の第１の実施形態に係る移動局の機能ブロック図である。
【図３】本発明の第１の実施形態に係る移動局によって送信される情報要素「ＵＥ-ＥＵＴＲＡ-Ｃａｐａｂｉｌｉｔｙ」の一例を示す図である。
【図４】本発明の第１の実施形態に係る移動局によって送信される情報要素「ＵＥ-ＥＵＴＲＡ-Ｃａｐａｂｉｌｉｔｙ」の一例を示す図である。
【図５】従来の移動通信システムについて説明するための図である。
【図６】従来の移動通信システムについて説明するための図である。
【発明を実施するための形態】
【００２１】
（本発明の第１の実施形態に係る移動通信システム）
図１乃至図４を参照して、本発明の第１の実施形態に係る移動通信システムについて説明する。
【００２２】
本実施形態に係る移動通信システムは、ＬＴＥ-Ａｄｖａｎｃｅｄ方式をサポートするものであって、Ｐｃｅｌｌ及びＳｃｅｌｌを用いてＣＡを行うことができるように構成されている。
【００２３】
具体的には、本実施形態に係る移動通信システムは、「Ｉｎｔｅｒ-ｂａｎｄ  ＣＡ」を行うことができるように構成されている。
【００２４】
図１に示すように、本実施形態に係る移動通信システムは、セル＃１を管理する無線基地局ｅＮＢ等を具備している。
【００２５】
図２に示すように、本実施形態に係る移動局ＵＥは、管理部１１と、調整部１２と、送信部１３とを具備している。
【００２６】
管理部１１は、Ｐｃｅｌｌ或いはＳｃｅｌｌからなる１つ又は複数のＴＡＧ、すなわち、ｐＴＡＧ及びｓＴＡＧを管理するように構成されている。
【００２７】
具体的には、管理部１１は、各ｐＴＡＧ及びｓＴＡＧに属するサービングセル（或いは、ＣＣ）を管理するように構成されている。
【００２８】
調整部１２は、ＭＴＡ制御を行うように構成されている。すなわち、調整部１２は、同一のＴＡＧに属するＰｃｅｌｌ或いはＳｃｅｌｌにおいて、上りリンク信号の送信タイミングが同一になるように調整するように構成されている。
【００２９】
送信部１３は、無線基地局ｅＮＢに対して、各種信号を送信するように構成されている。
【００３０】
例えば、送信部１３は、無線基地局ｅＮＢに対して、対応可能なＴＡＧの数を通知するように構成されている。
【００３１】
ここで、送信部１３は、図３に示すように、３ＧＰＰのＴＳ３６.３３１に規定されている情報要素「ＵＥ-ＥＵＴＲＡ-Ｃａｐａｂｉｌｉｔｙ」に対して、新規の情報要素「ｓｕｐｐｏｒｔｅｄＴＡＧ-ｒ１１」を追加し、かかる情報要素「ｓｕｐｐｏｒｔｅｄＴＡＧ-ｒ１１」を用いて、無線基地局ｅＮＢに対して、かかる移動局ＵＥにおいて対応可能なＴＡＧの数を通知するように構成されていてもよい。
【００３２】
また、送信部１３は、図４に示すように、３ＧＰＰのＴＳ３６.３３１に規定されている情報要素「ＵＥ-ＥＵＴＲＡ-Ｃａｐａｂｉｌｉｔｙ」に対して、新規の情報要素「ｓｕｐｐｏｒｔｅｄＴＡＧ-ｒ１１」を追加し、ＣＡにおけるバンドの組み合わせごとに、対応可能なＴＡＧの数を通知するように構成されていてもよい。
【００３３】
或いは、送信部１３は、対応可能なＴＡＧの数の最大値或いは最小値を通知するように構成されていてもよい。
【００３４】
また、送信部１３は、無線機能（例えば、アンテナや送信機や受信機）ごとに、対応可能なＴＡＧの数を通知するように構成されていてもよい。
【００３５】
或いは、送信部１３は、無線機能（例えば、アンテナや送信機や受信機）ごとに、対応可能なＴＡＧの数の最大値或いは最小値を通知するように構成されていてもよい。
【００３６】
また、送信部１３は、バンドごとに、対応可能なＴＡＧの数を通知するように構成されていてもよい。
【００３７】
或いは、送信部１３は、バンドごとに、対応可能なＴＡＧの数の最大値或いは最小値を通知するように構成されていてもよい。
【００３８】
なお、送信部１３は、上述の情報要素「ＵＥ-ＥＵＴＲＡ-Ｃａｐａｂｉｌｉｔｙ」を用いるケースのように、ＲＲＣ（Ｒａｄｉｏ  Ｒｅｓｏｕｒｃｅ  Ｃｏｎｔｒｏｌ）レイヤにおいて、対応可能なＴＡＧの数を通知するように構成されていてもよいし、ＰＤＣＰ（Ｐａｃｋｅｔ  Ｄａｔａ  Ｃｏｎｖｅｒｇｅｎｃｅ  Ｐｒｏｔｏｃｏｌ）レイヤやＲＬＣ（Ｒａｄｉｏ  Ｌｉｎｋ  Ｃｏｎｔｒｏｌ）レイヤやＭＡＣレイヤ（Ｍｅｄｉａ  Ａｃｃｅｓｓ  Ｃｏｎｔｒｏｌ）や物理レイヤにおいて、対応可能なＴＡＧの数を通知するように構成されていてもよい。
【００３９】
本実施形態に係る発明によれば、無線基地局ｅＮＢは、移動局ＵＥによって通知された対応可能なＴＡＧの数に基づいて、各移動局ＵＥに対して、ＣＣ及びＴＡＧの適切なマッピングの設定を行うことができる。
【００４０】
また、対応可能なＴＡＧの数は、セル間協調送受信（ＣｏＭＰ：Ｃｏｏｒｄｉｎａｔｅｄ  Ｍｕｌｔｉ-ｐｏｉｎｔ  ｔｒａｎｓｍｉｓｓｉｏｎ/ｒｅｃｅｐｔｉｏｎ）において、接続できるセル（或いは、無線基地局ｅＮＢやバンド）の数以上となるように構成されてもよい。
【００４１】
また、対応可能なＴＡＧの数は、セル間協調送受信において、接続できるセル（或いは、無線基地局やバンド）の数の通知に含まれていてもよい。
【００４２】
例えば、無線基地局ｅＮＢは、移動局ＵＥによって通知された対応可能なＴＡＧの数に基づいて、移動局ＵＥにおいて対応可能なＴＡＧの数以上のＴＡＧを用いて、かかる移動局ＵＥによるＩｎｔｅｒ-ｂａｎｄ  ＣＡを制御してしまうという事態を回避することができる。
【００４３】
（変更例１）
以下、本発明の変更例１に係る移動通信システムについて、上述の第１の実施形態に係る移動通信システムとの相違点に着目して説明する。
【００４４】
本変更例１に係る移動通信システムでは、送信部１３は、「ＳｕｐｐｏｒｔｅｄＢａｎｄＣｏｍｂｉｎａｔｉｏｎ-ｒ１０」を通知することによって、対応可能なＴＡＧの数を通知するように構成されていてもよい。
【００４５】
すなわち、本変更例１に係る移動通信システムでは、３ＧＰＰのＴＳ３６.３３１に規定されている情報要素「ＵＥ-ＥＵＴＲＡ-Ｃａｐａｂｉｌｉｔｙ」内の情報要素「ＳｕｐｐｏｒｔｅｄＢａｎｄＣｏｍｂｉｎａｔｉｏｎ-ｒ１０」の定義を変更し、かかる「ＳｕｐｐｏｒｔｅｄＢａｎｄＣｏｍｂｉｎａｔｉｏｎ-ｒ１０」は、対応可能なバンドの数だけではなく、対応可能なＴＡＧの数を示すものとする。
【００４６】
具体的には、「ＳｕｐｐｏｒｔｅｄＢａｎｄＣｏｍｂｉｎａｔｉｏｎ-ｒ１０」では、移動局ＵＥが対応するバンドやＣＣ（Ｃｏｍｐｏｎｅｎｔ Ｃａｒｒｉｅｒ）の数を通知するように定義（構成）されているため、例えば、移動局ＵＥが対応するＴＡＧ数が、対応可能なバンド数やＣＣの数によって一意に決定されるのであれば（そのように「ＳｕｐｐｏｒｔｅｄＢａｎｄＣｏｍｂｉｎａｔｉｏｎ-ｒ１０」が定義されるのであれば）、移動局ＵＥが対応するバンドやＣＣ数を通知することにより、移動局ＵＥが対応するＴＡＧ数を暗に通知することが可能である。
【００４７】
かかる場合、移動局ＵＥにおいて対応可能なＴＡＧの数は、移動局ＵＥにおいて対応可能なバンドの数以上となるように構成されている。
【００４８】
また、対応可能なＴＡＧの数は、セル間協調送受信において、接続できるセル（或いは、無線基地局ｅＮＢやバンド）の数以上となるように構成されてもよい。
【００４９】
また、対応可能なＴＡＧの数は、セル間協調送受信において、接続できるセル（或いは、無線基地局やバンド）の数の通知に含まれていてもよい。
【００５０】
本変更例１に係る移動通信システムによれば、無線基地局ｅＮＢは、「ＳｕｐｐｏｒｔｅｄＢａｎｄＣｏｍｂｉｎａｔｉｏｎ-ｒ１０」によって示される数のＴＡＧを用いて、かかる移動局ＵＥによるＩｎｔｅｒ-ｂａｎｄ  ＣＡを制御することができる。
【００５１】
以上に述べた本実施形態の特徴は、以下のように表現されていてもよい。
【００５２】
本実施形態の第１の特徴は、Ｐｃｅｌｌ（プライマリセル）及びＳｃｅｌｌ（セカンダリセル）を用いてＣＡを行うことができるように構成されている移動通信システムで用いられる移動局ＵＥであって、Ｐｃｅｌｌ或いはＳｃｅｌｌからなる１つ又は複数のＴＡＧ（タイミング調整グループ）を管理するように構成されている管理部１１と、同一のＴＡＧに属するＰｃｅｌｌ或いはＳｃｅｌｌにおいて、上りリンク信号の送信タイミングが同一になるように調整するように構成されている調整部１２と、無線基地局ｅＮＢに対して、対応可能なＴＡＧの数を通知するように構成されている送信部１３とを具備することを要旨とする。
【００５３】
本実施形態の第１の特徴において、送信部１３は、ＣＡにおけるバンドの組み合わせごとに、対応可能なＴＡＧの数を通知するように構成されていてもよい。
【００５４】
本実施形態の第１の特徴において、送信部１３は、無線機能ごとに、対応可能なＴＡＧの数を通知するように構成されていてもよい。
【００５５】
本実施形態の第１の特徴において、送信部１３は、バンドごとに、対応可能なＴＡＧの数を通知するように構成されていてもよい。
【００５６】
本実施形態の第１の特徴において、送信部１３は、「ＳｕｐｐｏｒｔｅｄＢａｎｄＣｏｍｂｉｎａｔｉｏｎ-ｒ１０（対応可能なバンドの数）」を通知することによって、対応可能なＴＡＧの数を通知するように構成されていてもよい。
【００５７】
本実施形態の第２の特徴は、Ｐｃｅｌｌ及びＳｃｅｌｌを用いてＣＡを行うことができるように構成されている移動通信システムで用いられる移動局ＵＥであって、Ｐｃｅｌｌ或いはＳｃｅｌｌからなる１つ又は複数のＴＡＧを管理するように構成されている管理部１１と、同一のＴＡＧに属するＰｃｅｌｌ或いはＳｃｅｌｌにおいて、上りリンク信号の送信タイミングが同一になるように調整するように構成されている調整部１２とを具備しており、対応可能なＴＡＧの数は、対応可能なバンドの数以上となるように構成されていることを要旨とする。
【００５８】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６２】
ＵＥ…移動局
ｅＮＢ…無線基地局
１１…管理部
１２…調整部
１３…送信部
【図１】
2018110458.tif 000003
【図２】
2018110458.tif 000004
【図３】
2018110458.tif 000005
【図４】
2018110458.tif 000006
【図５】
2018110458.tif 000007
【図６】
2018110458.tif 000008